(57)【要約】  ユースケースに合わせて表示画面を縦長から横長にしたり、キー操作部を携帯用からパソコン用にしたり等、多機能でありながら使い勝手のよい携帯情報端末装置を提供する。  このため、表示部１１を表側の面、カメラレンズ１５を裏側の面に持つ第１筐体１０と、携帯電話用キー操作部３１を表側の面に、パソコン用キー操作部３３を裏側の面に持つ第２筐体３０とを、回動部材５０および軸部材６０で結合したものであって、回動部材５０は直交する２つの軸から構成され、第１軸５１は第１筐体１０を第２筐体３０の表側の面に沿って９０度回動させたとき、表示部１１を第２筐体の中央に位置させる機能を持ち、第２軸５２は第１筐体１０を第２筐体３０に対して角度を変える機能を持つ。軸部材６０は、第１筐体１０が第２筐体３０に対し第２軸５２に沿って上方にスライド可能とする。
2007129470.tif 000002
【特許請求の範囲】
【請求項１】
表示部を表側の面に有する第１筐体とキー操作部を表側の面の下方に有する第２筐体とを、前記第１筐体を表側に前記第２筐体を裏側にして重合配置し、
前記第１筐体を前記第２筐体の表側の面に沿って９０度回動させたとき、前記第２筐体のキー操作部が露出するとともに、前記第１筐体またはその表示部が前記第２筐体の左右方向の概ね中央に位置し、
かつ前記第１筐体が前記第２筐体の表側の面に対して角度を変化させ得ること、
を特徴とする携帯情報端末装置。
【請求項２】
表示部を表側の面に有する第１筐体とキー操作部を表側の下方に有する第２筐体を、前記第１筐体を表側に前記第２筐体を裏側にして、２つの軸を持つ回動部材で重合配置し、
前記回動部材の第１軸は前記第２筐体の表側の面の垂直方向に中心線を持ち、その位置は前記第１筐体またはその表示部の上下方向の長さをaとし、前記第２筐体の左右方向の長さをｂとしたとき、前記第１筐体を閉じたときの前記第１筐体または表示部の上辺と左右いずれかの側辺との交点から下方に（ a − b ）／２の長さだけ離れた前記側辺上の点をとり、その点から前記側辺に対して４５度の角度をもって下方内側に引いた直線と、キー操作部の上方の境界線と前記側辺との交点から前記側辺に対して４５度の角度をもって上方内側に引いた直線との交点にあり、
第２軸は前記第１筐体の前記交点のある側の側辺の端部にあって、前記側辺に平行であること、
を特徴とする携帯情報端末装置。
【請求項３】
表示部を表面に有する第１筐体とキー操作部を表面の下方に有する第２筐体を、前記第１筐体を表側に前記第２筐体を裏側にして、２軸を持つ回動部材で上下に重合配置し、
前記回動部材の第１軸は前記第２筐体の表面の垂直方向に中心線を持ち、その位置は前記第２筐体のキー操作部の上方の境界線と左右いずれかの側辺との交点から前記側辺に対して４５度の角度をもって上方内側に引いた直線上の点であって、前記交点の近傍にあり、
第２軸は前記第１筐体の前記交点のある側の側辺の端部にあって、前記側辺に平行であること、
を特徴とする携帯情報端末装置。
【請求項４】
前記第１筐体に対して、前記第２筐体または前記第２筐体のキー操作部を下方向にスライドさせたとき、キー操作部が露出すること、
を特徴とする請求項１〜３のいずれかに記載の携帯情報端末装置。
【請求項５】
前記回動部材の第２軸は前記第１筐体の軸部材とスライド自在であること、
を特徴とする請求項４に記載の携帯情報端末装置。
【請求項６】
前記第２筐体は上下にスライドする部材を持ち、前記部材の表側の下方にキー操作部を有すること、
を特徴とする請求項４に記載の携帯情報端末装置。
【請求項７】
前記第１筐体の裏側の面にカメラレンズ部を設けたこと、
を特徴とする請求項１〜６のいずれかに記載の携帯情報端末装置。
【請求項８】
前記第２筐体の裏側の面にキー操作部を設けたこと、
を特徴とする請求項１〜７のいずれかに記載の携帯情報端末装置。
【請求項９】
前記第２筐体の裏側に平面視で前記第２筐体と略同形状をもった第３筐体を重合配置し、
前記第２筐体の上方に設けた上辺に平行な第３軸を中心として、重合状態から１８０度回動すること、
を特徴とする請求項１〜７のいずれかに記載の携帯情報端末装置。
【請求項１０】
前記第３筐体を１８０度回転させたとき、前記第２筐体と前記第３筐体の面のうち、前記第１筐体の表示部と同方向の面にキー操作部を設けたこと、
を特徴とする請求項９に記載の携帯情報端末装置。
【請求項１１】
前記第２筐体の裏側に平面視で前記第２筐体と略同等の形状をもった第３筐体を２つに分割して重合配置し、
分割したそれぞれを前記第２筐体の上方に設けた上辺と平行な第３軸と前記第２筐体の下方に設けた下辺に平行な第４軸を中心として、重合状態から１８０度回動すること、
を特徴とする請求項８に記載の携帯情報端末装置。
【請求項１２】
前記第３筐体を開いたとき、前記第２筐体と前記第３筐体の開いた面にキー操作部を設けたこと、
を特徴とする請求項１１に記載の携帯情報端末装置。
【請求項１３】
前記第１筐体を前記第２筐体に対して上方にはみ出して重合配置し、
前記第２筐体のキー操作部の下部キーの一部および前記第１筐体の裏側の面のカメラレンズ部が、常時露出していること、
を特徴とする請求項１〜６のいずれかに記載の携帯情報端末装置。
【発明の詳細な説明】
【技術分野】
【０００１】
本発明は、例えば携帯電話機、ＰＨＳ電話機（PHS：Personal Handy-phone System）、ＰＤＡ装置（PDA：Personal Digital Assistant）等に適用して好適な携帯端末装置に関し、特に、テレビジョン放送の視聴やモバイルムービー等の動画コンテンツの視聴、メール送受信、カメラ撮像、パソコン、ゲーム機等の各機能の使用状態に対応して最適なポジショニングに変化可能とした携帯端末装置に関する。
【背景技術】
【０００２】
今日における携帯端末装置は、通話機能のほか、電子メール（携帯メール）の送受信機能、インターネットのサイト閲覧機能、テレビ電話機能、カメラ撮像機能、パソコン機能等の様々な機能が設けられている。また、テレビジョン放送の受信機能によりテレビジョン放送も視聴可能となってきている。このため、表示画面部、キー操作部、カメラ装置部などを、それらの使用形態に応じて各機能を快適に果たさせる構成が望まれている。【０００３】
この要望に対して、特開２００５−１３０２１９号の特許公開公報では、３つの位置を持つ携帯端末装置が提案されている。この携帯端末装置は、主面部上に一端側に近接して設けられたキー操作部と、他端側に設けられたカメラ部とを備えた第１の筐体部と、上記第１の筐体部と略同じ大きさを有し、該第１の筐体部に重ねた状態でスライド操作可能に支持され、上記第１の筐体部の主面部と相対向する面部の反対側の面部となる主面部に表示画面部が設けられた第２の筐体部とを有する。【０００４】
また、この携帯端末装置は、上記第１、第２の筐体部に加え、少なくとも、上記第２の筐体部を上記第１の筐体部の他端側にスライドさせた場合に、上記操作キー部が露出する位置で該第２の筐体部を固定する「第１の位置」と、上記第２の筐体部が上記第１の筐体部全体と重なるようにスライドさせた場合に、上記操作キー部及び上記カメラ部を覆う位置で該第２の筐体部を固定する「第２の位置」と、上記第２の筐体部を上記第１の筐体部の一端側にスライドさせた場合に、上記カメラ部が露出する位置で該第２の筐体部を固定する「第３の位置」とに亘って、上記第２の筐体部のスライド位置を固定するスライド位置固定手段を有する。【０００５】
この携帯端末装置は、第１の筐体部に対して第２の筐体部がスライド操作可能となっており、第２の筐体部を上記第１の筐体部の他端側にスライドさせた場合に、スライド位置固定手段が、上記操作キー部が露出する「第１の位置」で該第２の筐体部のスライド位置を固定する。また、第２の筐体部を第１の筐体部全体と重なるようにスライドさせた場合、スライド位置固定手段が、上記操作キー部及び上記カメラ部を覆う「第２の位置」で該第２の筐体部のスライド位置を固定する。また、第２の筐体部を第１の筐体部の一端側にスライドさせた場合、スライド位置固定手段が、カメラ部が露出する「第３の位置」で該第２の筐体部を固定する。【０００６】
上記「第１の位置」においては、キー操作部を露出させた状態とすることができるため、このキー操作部を操作してメールの入力や音声通話等を行うことができる。上記「第２の位置」においては、キー操作部及び上記カメラ部を第１の筐体で覆うことで、キーの誤動作および保護ができるとともに、当該携帯端末装置を、上記第２の筐体部の大きさ（＝第１の筐体部の大きさ）に小型化することができ携行が容易である。
上記「第３の位置」においては、カメラ部を露出させた状態とすることができるため、カメラ部を用いて所望の被写体を撮像することを可能とすることができる。また、カメラ部を携帯端末装置の支持脚とできるので、表示画面部を斜め上方向に角度を調節して机上などでテレビジョン放送や映像コンテンツの視聴ができる。また、第１の筐体の主面部上に、該第１の筐体の一端側に近接してキー操作部を設け、第２の筐体部の主面部上に表示画面部を設けている。このため、第２の筐体部の主面部を略々全面的に表示画面部とすることができ、大型の表示部を設けることを可能とすることができる。【０００７】
また特開２００１−３１３７０５号の特許公開公報では、折畳み開閉できるノート型パソコンのキーボード側に、携帯電話機専用のキー列を設ける一方、当該パソコン表示画面側に携帯電話機専用の表示部を設けている。これにより、従来パソコンと携帯電話機を別々に携行し、必要に応じて接続ケーブルを介して両者を接続して使用していたが、両者が合体しているので、合体状態で一緒に持ち運びでき、従ってプロバイダ携帯電話交換局をプロバイダとして直接インターネット経由の通信が可能になり、また双方の機器を独立しても使用できるので、使い勝手が著しく向上する。さらに、携帯電話機のデータをパソコン側に移したり、パソコン側のデータを携帯電話機側に移すこともできるから、双方の機器の短所を補い合うことにより使い勝手が向上する。【０００８】
【特許文献１】特開２００５−１３０２１９号公報
【特許文献２】特開２００１−３１３７０５号公報
【発明の開示】
【発明が解決しようとする課題】
【０００９】
しかし、特開２００５−１３０２１９号の公開特許公報に開示されている従来の携帯端末装置では、携帯メールの発信を行う場合、表示画面が縦長であり快適なメール入力ができない。また、机上などでテレビジョン放送を視聴する場合、カメラ部を支持脚として携帯端末装置を安定させるが、テレビジョン放送のチャンネル選択や音量調整のためのキー操作部が隠れてしまい、別途設ける必要がある。【００１０】
また、カメラ撮像をセルフタイマーで行う場合、携帯端末装置の側面を水平な場所に置く必要があるが、側面の幅は狭いため安定性に欠ける。安定性を確保するためにカメラ部を支持脚とした場合は、被写体へのカメラレンズの光軸を被写体に合わせるのが困難となる。また、電子メールの送信機能に関しては、長文の電子メールを作成する場合、携帯電話のキー操作部による入力は、パソコン用のキー操作部に比べて劣っており、素早いメール作成は困難である。【００１１】
また特開２００１−３１３７０５号の公開特許公報に開示されているパソコンを合体した携帯電話機では、ノート型パソコンのキーボード側に、携帯電話機専用のキー列を設ける一方、当該パソコン表示画面側に携帯電話機専用の表示部を設けている。したがって、キーボードおよび表示画面が大きくなって携帯が困難になるだけでなく、例えば携帯電話機を片手で持ってのいわゆる片手入力はできない。【００１２】
さらに携帯電話機用に配信されているコンテンツが縦長画面用の場合には、携帯端末装置の表示画面が横長のみでは必ずしも快適とはいえない。【００１３】
また、電話をかけるため電話番号をキー操作部から入力する場合は、横長画面では携帯端末がＴ型の形となり、余分な空間を構成するので、混雑した場所での通話には向かないなどの課題が発生する。【００１４】
本発明は、上述の課題に鑑みてなされたものであり、装置構成をユースケース（Use Case）に合わせて、さらに最適な形態とすることができるような携帯端末装置の提供を目的とする。
【課題を解決するための手段】
【００１５】
請求項１の発明は、表示部を表側の面に有する第１筐体と、キー操作部を表側の面の下方に有する第２筐体とを、第１筐体を表側に、第２筐体を裏側にして重合配置し、第１筐体を、第２筐体の表側の面に沿って９０度回動させたとき、キー操作部が操作可能に露出するとともに、第１筐体またはその表示部が第２筐体の左右方向の概ね中央に位置し、かつ第１筐体が第２筐体の表側の面に対して角度を変化させ得ることを特徴としている。【００１６】
請求項２の発明は、表示部を表側の面に有する第１筐体とキー操作部を表側の面の下方に有する第２筐体を、第１筐体を表側に第２筐体を裏側にして、２つの軸をもつ回動部材で重合配置し、前記回動部材の第１軸は第２筐体の表側の面の垂直方向に中心線を持ち、その位置は第１筐体またはその表示部の上下方向の長さをaとし、第２筐体の左右方向の長さをbとしたとき、第１筐体を閉じたときの第１筐体または表示部の上辺と左右いずれかの側辺との交点から下方に( a − b )／２の長さだけ離れた前記側辺上の点をとり、その点から前記側辺に対して４５度の角度をもって下方内側に引いた直線と、キー操作部の上方の境界線と前記側辺との交点から前記側辺に対して４５度の角度をもって上方内側に引いた直線との交点にあり、第２軸は前記側辺の端部にあって、前記側辺に平行であることを特徴としている。【００１７】
請求項３の発明は、表示部を表側の面に有する第１筐体とキー操作部を表側の面の下方に有する第２筐体を、２軸をもつ回動部材で上下に重合配置し、前記回動部材の第１軸は第２筐体の表面の垂直方向に中心線を持ち、その位置は第２筐体のキー操作部の上方の境界線と左右いずれかの側辺との交点から前記側辺に対して４５度の角度をもって上方内側に引いた直線上の点であって、前記交点の近傍にあり、第２軸は第１筐体の前記交点のある側の側辺の端部にあって、前記側辺に平行であることを特徴としている。【００１８】
請求項４の発明は、前記第１筐体に対して、前記第２筐体または前記第２筐体のスライド部材を下方向に移動させたとき、キー操作部が操作可能に露出することとを特徴としている。【００１９】
請求項５の発明は、前記回動部材の第２軸が第１筐体の軸部材とスライド自在であることを特徴としている。【００２０】
請求項６の発明は、前記第２筐体が上下にスライドする部材を有し、前記部材の表面の下方にキー操作部を有することを特徴としている。【００２１】
請求項７の発明は、前記第１筐体の裏側の面にカメラレンズ部を設けたことを特徴としている。【００２２】
請求項８の発明は、前記第２筐体の裏側の面にパソコン用キー操作部を設けたことを特徴としている。【００２３】
請求項９の発明は、第２筐体の裏側に平面視で第２筐体と略同形状をもった第３筐体を重合装着し、前記第２筐体の上方に設けた上辺に平行な第３軸を中心として、重合状態から１８０度回動することを特徴としている。【００２４】
請求項１０の発明は、第３筐体を１８０度回転させたとき、第２筐体と第３筐体の操作キーのパターンがパソコン用フルキーボードになることを特徴としている。【００２５】
請求項１１の発明は、第２筐体の裏側に平面視で第２筐体と略同等の形状をもった第３筐体を２つに分割して重合装着し、分割したそれぞれを前記第２筐体の上方に設けた上辺と平行な第３軸と前記第２筐体の下方に設けた下辺に平行な第４軸を中心として、重合状態から１８０度回動することを特徴としている。【００２６】
請求項１２の発明は、２つに分割した第３筐体を、第４軸を中心として重合状態から１８０度回転させたとき、第２筐体と第３筐体の操作キーのパターンがパソコン用フルキーボードになることを特徴としている。【００２７】
請求項１３の発明は、主として携帯電話としてのみ用いる場合を想定しており、パソコンとしての用途は考えていない。【００２８】
第１筐体を第２筐体に対して上部にはみ出して重合配置し、第１筐体を９０度回動したときの表示部の左右方向の位置は第２筐体の概ね中央に位置し、第２筐体のキー操作部の下部キーの一部および第１筐体の裏側の面のカメラレンズ部が、常時露出していることを特徴としている。
【発明の効果】
【００２９】
以上述べたように、本発明の携帯情報端末装置はシンプルな構造にもかかわらず、その装置構成をさまざまなユースケース（Use Case）に合わせて、最適な形態とすることにより、使いやすくかつ見やすい画面の携帯情報端末装置とすることができる。
【図面の簡単な説明】
【００３０】
【図１】第１実施形態における第１のポジショニング時の平面図
【図２】図１の正面図
【図３】図１のＡ−Ａ線断面図
【図４】図１のＢ−Ｂ線断面図
【図５】第２のポジショニング時の平面図
【図６】図５の右側面図
【図７】図５の背面図
【図８】第３のポジショニング時の正面図
【図９】図８の左側面図
【図１０】図８の右側面図
【図１１】第４のポジショニング時の平面図
【図１２】図１１の正面図
【図１３】図１１の別例の平面図
【図１４】図１３の正面図
【図１５】第５のポジショニング時の２面図
【図１６】第２実施形態における閉時の平面図
【図１７】図１６の正面図
【図１８】第２実施形態における開時の平面図
【図１９】第３実施形態における閉時の３面図
【図２０】図１９の第２のポジショニング時の平面図
【図２１】図１９の第４のポジショニング時の平面図
【図２２】図１９の全て開時の３面図
【図２３】図１の他の例
【図２４】第４実施形態における閉時の３面図
【図２５】第４実施形態における開時の３面図
【図２６】第５実施形態における閉時の３面図
【図２７】図２６のＡ−Ａ線断面図
【図２８】第５実施形態における９０度回転開時の２面図
【図２９】スライド機構第２型の閉時の３面図
【図３０】図２９のＡ−Ａ線断面図
【図３１】図２９のＢ−Ｂ線断面図
【図３２】図２９のＣ−Ｃ線断面図
【図３３】スライド機構第２型のスライド時の２面図
【図３４】スライド機構第３型の閉時の３面図
【図３５】図３４のＡ−Ａ線断面図
【図３６】図３４のＢ−Ｂ線断面図
【図３７】図３４のＣ−Ｃ線断面図
【図３８】スライド機構第３型の第５のポジショニング時の２面図
【図３９】スライド機構第３型の第４のポジショニング時の２面図
【図４０】スライド機構を持たない構造の閉時の２面図
【図４１】図４０のＡ−Ａ線断面図
【図４２】図４０のＢ−Ｂ線断面図
【符号の説明】
【００３１】
１    携帯情報端末装置
２    表示部の上辺
３    第２筐体の右側辺
３−１    交点
３−２    交点
４        交点
５−１    直線
５−２    直線
６    キースペースの上方の境界線
７    第１筐体の表側の面
８    第２筐体の表側の面
９    第２軸の最外周
１０    第１筐体
１１    表示部
１２、１２−１、１２−２    スピーカ
１３、１３−１、１３−２    マイク
１４、１４−１、１４−２    操作キー
１５    カメラレンズ
１６    発光体
３０    第２筐体
３１    携帯電話用キー操作部
３２    マイク
３３    パソコン用キー操作部
３４    面
５０    回動部材
５１    第１軸
５２    第２軸
５３    空洞
５４    空洞
５５    空洞
５６、５７    突出部
５８    空洞
６０    軸部材
６１    スリット
６２、６３    端部
７０    ケーブル
９０    地上構造物
２０１    第２実施形態の携帯情報端末装置
３０１    第３実施形態の携帯情報端末装置
４０１    第４実施形態の携帯情報端末装置
５０１    第５実施形態の携帯情報端末装置
６０１    スライド第２型の携帯情報端末装置
７０１    スライド第３型の携帯情報端末装置
８０１    スライド機構を含まない携帯情報端末装置
【発明を実施するための最良の形態】
【００３２】
以下、本発明を携帯電話に適用した場合の実施の形態について、図を参照して詳細に説明する。【００３３】
=====第１実施形態=====
本発明の第1実施形態について図1〜図１５を用いて説明する。
＜ 基本構造について ＞
図１は、携帯情報端末装置1を閉じた状態における平面図である。図２はその正面図である。図３は図１におけるＡ−Ａ線断面図である。図４は図１におけるＢ−Ｂ線断面図である。【００３４】
携帯情報端末装置1は第１筐体１０と第２筐体３０およびこれらをつなぐ回動部材５０から構成されている。第１筐体１０と第２筐体３０は平面視で略同形状をしており、閉じた状態においては第１筐体１０と第２筐体３０は第１筐体１０を表側に、第２筐体３０を裏側にして重合配置されている。【００３５】
回動部材５０は２つの軸から構成されている。回動部材の第１軸５１は第２筐体３０の表側の面に垂直であり、第２軸５２は第１筐体１０の左右いずれかの側辺の端部にあってその側面に平行である。以下の説明においては第２軸５２が第１筐体１０の右側辺３の端部にある場合を例にして説明するが、左側辺の端部にある場合でも以下の説明の中での左右を反対にして解釈すれば同様に成立する。【００３６】
まず第１軸５１の位置の決め方について詳細に述べる。この位置を決める目的は次の二つの条件を満足させることである。その第１の条件は、第１筐体１０を９０度右回転して開いたとき、図５のように第１筐体１０の表示部１１が横長画面となるとともに、第２筐体３０の左右方向の概ね中央に位置することである。第２の条件は、第２筐体３０の表側の下方にある携帯電話用キー操作部３１が操作可能なようにキースペースhが露出することである。この二つの条件が満たすことができれば、表示部１１はテレビを見たりメールの文章を読んだりするのに都合が良い横長の大画面になると同時に、その配置は携帯電話用キー操作部３１の真上でかつ携帯電話用キー操作部３１に対し概ね左右方向の中央の位置である。したがってキーを打ちながら表示部を見るのに都合が良い。【００３７】
以下にその成立する条件について述べるが、まずそのために第１軸が目的の位置にあると仮定して、それがどのような性質をもっているかを説明する。【００３８】
図１において第１筐体１０の表示部１１の上下方向の長さをａ、第２筐体３０の左右方向の長さをｂとする。第１軸５１から右上方向に第１筐体１０の右側辺３と４５度の角度をなす直線５−１を引き、第２筐体３0の右側辺３との交点を３−１とする。交点３−１と第１軸５１までの上下方向および左右方向の距離は共に等しく、これをＸとする。表示部１１の上辺２と第２筐体３０の右側辺３との交点を４とし、この交点４と交点３−1との距離をＹとすると、第１軸５１の位置は交点４に対して下の方向へＹ＋Ｘ左の方向へＸだけ変位した位置にあることになる。【００３９】
次に図１の状態から第１筐体１０を９０度右回転して図５の状態にしたとする。このとき、第２筐体３０に対する第１筐体１０の表示部１１の右側へのはみだし量をｆ、左へのはみだし量をｇとすると、図１における回転前の第１軸５１から表示部１１の上辺までの距離は回転の前後で変わらないので、
Ｙ＋Ｘ＝ｆ＋Ｘ      すなわち
ｆ＝Ｙ                                  （１）
左右へのはみだし量の合計はａ−ｂ に等しいことから
ｇ ＋ ｆ＝ａ−ｂ    すなわち
ｇ＝ａ−ｂ−ｆ＝ａ−ｂ−Ｙ              （２）
表示部１１が第２筐体の中央にくるときには  ｆ＝ｇが成立する。
（１）（２）より
Ｙ＝ａ−ｂ−Ｙ                          （３）
Ｙ＝（ａ−ｂ）／２                      （４）
以上により、表示部１１が第２筐体３０の中央に位置するには交点４から下方に（ａ−ｂ）／２だけ下がり、その点から左下４５度方向に線を引くと、この線上の任意の点が求める点であることがわかる。【００４０】
次に第２の条件である携帯電話用キー操作部３１を配置するスペースhを確保する方法について述べる。図５においてスペースhの上方の境界線６は回転後の第１筐体１０の下辺と定義する。スペースhの上方の境界線６と第２筐体３０の右側辺３との交点を３−２とすると、図１において、第１軸５１と右側辺３との距離はＸであるので、これを９０度回転した第１筐体１０の下辺６との距離もＸである。すなわち第１軸５１は交点３−２を通って、第２筐体３０の側辺３に対して４５度左上に引いた線５−２の上にあることになる。【００４１】
以上をまとめると、二つの条件を満足する点は、第１軸５１は線５−１と線５−２の交点として求められる。すなわち表示部１１の上辺２と第２筐体３０の右側面３との交点４から下方に（ａ−ｂ）／２だけ下がり、その点から第２筐体３０の側辺３に対して左下４５度方向に引いた線と、携帯電話用キー操作部３１を配置するスペースhの上方の境界線６と第２筐体３０の右側辺３との交点３−２を通って、第２筐体３０の右側辺３に対して４５度左上に引いた線の交点が第１軸５１の位置である。【００４２】
ただし以上のようにして求めた第１軸５１ではあるが、強度上の制約がある場合は、必ずしも成立するとは限らない。例えば、図３において回動部材５０の断面が表示されているが、第１軸５１と第２筐体３０の右側辺３との距離Ｘは第１軸５１の軸受部５３の直径をdとし、軸受部５３と右側面との間の肉厚部の厚さをtとすると、
Ｘ= d／２＋ｔ                            （５） 
となる。ｄおよびｔはいずれも小さいほど強度的に不利になる変数であるので、Ｘはある程度の大きさが必要である。もし前述の方法で第１軸５１を決めた結果、Ｘが十分な強度が得られない寸法になってしまった場合は、一つの方法は携帯電話用キー操作部３１を配置するスペースhを少し小さくすることにより必要なＸを確保することができる。スペースhを小さくできない場合は、他の方法として表示部が第２筐体３０に対して厳密に左右方向の中央に位置するとの条件を少し緩和して、概ね中央でも良いとして必要なＸを確保することである。この方法については後ほど第２実施形態にて詳述する。【００４３】
以上の説明では第１筐体１０の表示部１１が第２筐体３０の左右方向の中央に位置する場合について説明したが、第１筐体１０全体が第２筐体３０の左右方向の中央に位置する場合も全く同様にして第１軸５１の位置を確定することができる。
また左右方向の中央位置を決める基準として、第２筐体３０の左右の寸法ｂを採用したが、キー操作部が第２筐体３０のなかで偏って配置されているような場合はキー操作部の左右の寸法ｂ１を基準としてもよい。【００４４】
次に第２軸５２の位置の決め方について以下に詳しく述べる。この第２軸５２の位置を決める目的は第１筐体１０が第２筐体３０の表側の面８に対していくつかの角度をとることを可能とすることである。【００４５】
一つ目の角度は、図５のように第１筐体１０を第１軸５１の周りに９０度右回転して開いたときに、第１筐体１０が第２筐体３０に対して図６の二点鎖線のように第２軸５２の周りに角度θ１で立ち上がることである。こうすることにより第１筐体１０の表側の面７にある表示部１１は第２筐体３０の表側の面８の下方にある携帯電話用キー操作部３１を片手で入力する場合に多少の角度がついて見やすくなる。具体的な角度の値としては、１０度〜３０度程度である。【００４６】
二つ目の角度は、図８〜図１０のように机等の上に置いて表示部１１でテレビを見たり、第１筐体１０の裏側の面にあるカメラレンズ１５を使用してタイマー利用による撮影をするときである。このときは図５および図６の状態、すなわち図８の二点鎖線の状態から第２軸５２の周りにθ２だけ回転すればよい。θ２の具体的な値はテレビの場合は６０度前後、撮影の場合は９０度前後が適当である。【００４７】
三つ目の角度は図１１〜図１４のように、第２筐体３０の携帯電話用キー操作部３１の裏面に配置されているパソコン用キー操作部３３を用いて両手で入力する場合である。このときは図１の状態、すなわち図１２または図１４の２点鎖線の折たたんだ状態から第２軸５２のまわりにθ３またはθ４だけ回転すればよい。パソコン用キー操作部３３の面と表示部１１の面とが平行でよい場合は図１２のθ３のように１８０度の回転でよいが、少し見やすくなるよう表示部がパソコン用キー操作部に対して少し立ち上がるよう角度をつけるとすれば図１４のθ４のように１９０度〜２１０度程度まで回転することが望ましい。【００４８】
以上の三つの角度をとれるようにするには、第１筐体１０は第２軸５２のまわりに折りたたんだ状態から最大２１０度程度まで回転できることが望ましい。このため図３の例において、第２軸５２は第１筐体１０の右端部にあって、その最外周９の形状は第１筐体１０の表側の面７と裏側の面および右側面３に接する円筒形をしている。また第１筐体１０の右端部の断面形状も全長にわたってこれと同じである。すなわち第２軸５２から右側面、表側の面および裏側の面までの距離をそれぞれk1、k2およびk3第２軸５２と第２筐体３０の表側の面との距離をmとすると
k1= k2= k3 < m
こうすることによって、第１筐体１０は第２筐体３０と干渉することなく必要角度を回転することができる。【００４９】
ただし図１１と図１２でわかるように、表示部１１には第２筐体３０が迫ってきている。すなわち間隔nは小さい。このため図１１では第２筐体３０の表示部側の角は面３４を取ることによって見やすくしている。【００５０】
表示部１１を見やすくする他の方法としては、図１４のようにｋ３を小さくすることである。図１３のように表示部１１と第２筐体との間隔ｐは図１１のnよりは大きくなり、操作者から見やすくなる。【００５１】
なお図１４の場合、k1とk2は変えずk3のみ小さくなっているが、k1とk2とk3のすべてを小さくしてもよい。すなわち第1筐体１０全体を薄くしてもよい。【００５２】
第２軸の位置については、上記以外の別の実施例について図３５および図３９を用いて説明する。図３５において、第２軸７５２は第１筐体の右側辺の端部にあり、右側辺に平行であるが、更に正確にはその中心位置は第１筐体７１０の右側面および第２筐体の固定部材７２０、スライド部材７３０の右側面と同一線上にある。この場合、第１筐体７１０を第２軸７５２の回りに１８０度回転させると図３９のようになり、表示部７１１は第２筐体の裏側に隠れることはなく、完全に露出される。【００５３】
以上第２軸の位置について２つの具体例で説明したが、実際には第２軸の中心線の位置は両者の中心線の位置の中間でも成立する。これらを全て含めて「第２軸は第１筐体の側辺の端部にある」と表現する。【００５４】
次に第１筐体１０に対して第２筐体３０を下方向にスライドしてキー操作部が露出する構造について、図１５、図３および図４を用いて説明する。【００５５】
第１筐体１０は、第１筐体１０の右側辺の端部にある軸部材６０を両端部６２、６３で回動自在に保持し、回動部材５０は第２軸５２の空洞５５内に軸部材６０を保持するとともに、軸部材６０に沿って褶動可能となっている。従って、図１の閉じた状態から第１筐体１０に対して、第２筐体３０を下方向にスライドさせたとき、図１５のようにキー操作部３１が露出する。【００５６】
この場合の第１筐体１０と第２筐体３０との配線方法を以下に説明する。軸部材６０には中空部６４と外部をつなぐスリット６１が開口している。スリット６１は軸部材６０の両端６２、６３の回動する部分には設けなくてもよい。このスリット６１には回動部材５０の突出部５６、５７が入り込んでいる。この突出部５６、５７により第１筐体１０と回動部材５０が相対的に回転したときは、軸部材６０は回動部材５０と共に回転する。【００５７】
突出部５６のもう一つの役割はケーブル７０を第２筐体から中空部へ滑らかに曲げることである。突出部５６と５７の間はケーブル７０を通す空間５８を設けるので、ケーブル７０は空間５４→５８→６４を通って第１筐体１０の内部に達する。第１筐体１０内には図示しないケーブルリールがあって第１筐体１０のスライド時のケーブル７０のたるみを巻き取る。軸部材６０と回動部材５０とが共に回転するには図４では突出部５６、５７によったが、これ以外でもよい。例えば両者の接触部の断面形状が非円形であってもよい。【００５８】
また第１筐体１０の位置を、第２筐体３０に対して希望または所定の位置での保持を容易にするために、図示しない摩擦機構またはクリック機構を付けるのが望ましい。【００５９】
次に第１筐体に対して第２筐体のキー操作部を下方向にスライドさせたとき、キー操作部が露出する構造について図２９〜図３３を用いて説明する。【００６０】
この場合、第２筐体は２つの部材から構成されている。ひとつは第１筐体６１０と回動部材６５０を介して連結されている固定部材６３０であり、もうひとつはこの固定部材６３０に対して上下方向にスライド可能なスライド部材６２０である。キー操作部６３１はスライド部材６３０の表側下方に配置されている。従って図２９のキー操作部６３１が露出しない状態から、第１筐体６１０に対してキー操作部６３１を下方向にスライドさせたとき、図３３のようにキー操作部６３１が露出する。【００６１】
さらに細部の構造を説明する。図３０、図３１および図３２は図２９の各々Ａ−Ａ線断面図、Ｂ−Ｂ線断面図、Ｃ−Ｃ線断面図である。第２筐体の固定部材６３０は第１筐体６１０に対し、回動部材６５０を介して連結されており、第２筐体のスライド部材６２０は第１筐体６１０と固定部材６３０の間に位置しており、スライドガイド機構６２１によって固定部材６３０に対して上下方向にスライドが可能になっている。【００６２】
この場合の各部材間の配線方法について以下に説明する。必要な箇所は第１筐体６１０と第２筐体の固定部材６３０との間、および第２筐体の固定部材６３０とスライド部材６２０間であるが、前者は図３２に示す通りケーブル６７１を回動部材６５０の内部の空間６５５に通す。その一端は孔６１１を通じて第１筐体６１０の内部に至り、他端は空間６５８を通じて第２筐体の固定部材６３０の内部に至る。後者は図３０および図３１に示す通り、第２筐体の固定部材６３０とスライド部材６２０との間に空間６２２を設け、ここにケーブル６７２を通す。この細部については、後述の図３７と同様であり、説明を省略する。【００６３】
上記と同様に、第１筐体に対して第２筐体のキー操作部を下方向にスライドさせたとき、キー操作部が露出する他の構造について図３４〜図３８を用いて説明する。上記図２９〜図３３と異なる点は第２筐体のスライド部材７２０の形状が固定部材７３０を取り囲むように箱型をしている点である。ただし、回動部材７５０がある表側の上半分には干渉を避けるため存在しない。図３６に示すようにキー操作部７３１は第２筐体のスライド部材７２０の表側に位置している。スライドガイド機構７２１は固定部材７３０の両側面に上下方向にわたって存在する。【００６４】
図３７は第２筐体の固定部材７３０とスライド部材７２０間の配線方法についての図である。両者間には空間７２２があり、その空間にケーブル７７２があり、両端がそれぞれの部材に接続されている。ケーブル７７２は途中でＵ字型に湾曲させることによりスライド運動にスムーズに追従する。以上により、図３４の閉じた状態から、第１筐体７１０に対してスライド部材７２０を下方向にスライドさせたとき、キー操作部７３１が図３８のように露出する。【００６５】
＜ 各種ポジショニングと使い方との関係について ＞
以上が第１筐体１０と第２筐体３０と回動部材５０および軸部材６０の基本構造の説明であるが、次に各ポジショニング時における細部の構造とその用途について詳細に説明する。【００６６】
――――第１のポジショニング――――
図１および図２において、第１筐体１０の表側の面７には長方形の形をした表示部１１があり、その長手方向の一方にはスピーカ１２および操作キー１４があり、その反対側にはマイク１３が配置されている。第２筐体３０は第１筐体１０の裏側に重なっている。このポジショニングでの主な使われ方は次の５つである。
（１）携行時
一番コンパクトな形状をしているので、携行時はこのポジショニングが便利である。
（２）電話の受信、通話
電話がかかってきたときには操作キー１４を操作することによって受信し、通話することが可能になる。
（３）電話のアドレス帳からの発信、通話
携帯電話用キー操作部はこの状態では外に出ておらず、電話番号を直接入力することはできないが、操作キー１４または図示しない他の操作キーを操作することによってアドレス帳より発信し、通話することができる。
（４）携帯メールの受信
メールを受信したときは、操作キー１４を操作することにより、メールを受けることができる。
（５）ゲーム機としての使用
図２３のように操作キー１４−１、１４−２を第１筐体１０の表示部１１の長手方向の両側に配置することによって、これを両手で操作するゲーム機として使用可能である。またスピーカ１２−１、１２−２およびマイク１３−１、１３−２も同様に配置することにより、ステレオ効果を楽しんだり、携帯電話として使用する場合に上下方向を気にせずに受けることができる。【００６７】
――――第２のポジショニング――――
図５〜図７においては、第１筐体１０は図１の状態から第１軸５１のまわりに第２筐体３０の表側の面８に沿って、９０度右回転して表示部１１は第２筐体３０に対して左右方向の概ね中央に位置している。このとき第２筐体３０の表側８の下方には携帯電話用キー操作部３１が現れる。携帯電話用キー操作部３１の更に下方にはマイク３２が配置されている。また表示部１１は図６の２点鎖線のように第１筐体１０は第２筐体３０の表側の面に対して見やすくなる角度にして使うことができる。このポジショニングでの主な使われ方は次の４つである。
（１）携帯電話用キー操作部による番号入力、発信、通話
電話番号やメールの文章を携帯電話用キー操作部３１のキーを用いて入力できる。この場合片手のみで第２筐体３０を保持しながら親指を用いてキー操作部入力するいわゆる片手入力もできる。通話はスピーカ１２を用い、声の入力はマイク３２を用いる。
（２）携帯電話用キー操作部による携帯メールの入力、発信
入力した電話番号やメールの文章を発信できる。
（３）カメラ撮像
携帯情報端末装置１を手に持って横画面で撮影するときは、このポジショニングで行う。このとき図７のようにカメラレンズ部を構成するカメラレンズ１５および発光体１６は表示部１１の背面にあり、操作者は表示部１１を見ながら撮影できる。
（４）テレビ鑑賞
片手で第２筐体３０を握ってテレビを鑑賞できる。電車の中や歩きながら見るのに便利である。【００６８】
――――第３のポジショニング――――
図８〜図１０は前記図５に対して第１筐体１０を第２筐体３０の表側の面に対して９０度前後まで立てた状態で、第２筐体３０を机上等に置いて使う。このポジショニングでの主な使われ方は次の２つである。
（１）机上等に置いてのテレビ鑑賞
第２筐体３０を机上に置いて、表示部の角度を見やすい角度に調整して楽しむことができる。携帯電話用キー操作部３１は表示部１１の手前の露出した場所にあるので容易にテレビ局の選定や音量の調整等に利用することができる。
（２）セルフタイマーによるカメラ撮像
カメラを手に持たずに地面や構造物の上に置いて撮影することができる。図８は地上構造物９０に携帯情報端末装置１を置いた状態である。表示部１１は図６の状態から更にθ１を大きくして約９０度になった状態である。この状態で携帯情報端末装置１は安定するので、このあとはセルフタイマーを利用して撮影すれば操作者も被写体になれる。また地上構造物が前後に傾斜していても、容易にカメラレンズ１５の光軸を被写体に向けることができる。【００６９】
――――第４のポジショニング――――
図１１〜図１４においては、第２筐体３０は携帯電話用キー操作部３１の背面側にパソコン用キー操作部３３を設けている。第２筐体３０を図１２の２点鎖線の折りたたんだ状態から１８０度回転させるとパソコン用キー操作部３３と第１筐体１０の表示部１１とは同一の面にくる。このキー操作部３３は通常の携帯用パソコンと比較してキーの大きさは小さいが、機能的にはほぼ同数のキー操作部を備えている。また図１４は第２筐体３０を２点鎖線の折りたたんだ状態から１８０度を超えて２１０度の範囲程度まで回転させている。また第２軸の位置を前述のように工夫することによって画面が見やすくなる。また図３９においては、前述のように第２軸の位置を変えることによって、更に画面が見やすくなる。このポジショニングでの主な使われ方は次の通りである。
（１）パソコン用キー操作部によるパソコン入出力
超小型の携帯パソコンとして使用可能である。例えば電車の座席に座った状態のとき、両手で携帯情報端末装置１を持って、両手の親指を用いてパソコン用キー操作部３３を用いて入力することができる。また机のある環境では、机の上に携帯情報端末装置１を置いて、両手の人差し指等を用いて入力することができる。図５のように携帯電話用キー操作部３１を用いて入力するような場合は、キーの数がすくないので、ある文字や記号を入力するのにキーを何回も押さなければならないことがあるが、図１１や図１３の場合ではこのようなことはないので、入力作業が効率的にできる。パソコン用キー操作部３３はこのボジショニングになったときのみ有効であればよい。これ以外のポジショニングでは自動的にスイッチが切れるようにしておくと誤入力がなくなる。同様に携帯電話用キー操作部３１もこのポジショニングのときには自動的にスイッチが切れるようにしておくと誤入力がない。
（２）電子メールの送受信やインターネットサーフィン
通常のパソコンと同様、電子メールの送受信やインターネットサーフィンを楽しむことができる。【００７０】
――――第５のポジショニング――――
図１５は、第２筐体３０を図１の状態から第１筐体１０に対して下方向に移動させた場合を示している。
図３３および図３８は、図２９および図３４の状態から、第２筐体のスライド部材６２０、７２０を、第１筐体６１０、７１０に対して下方向に移動させた場合を示している。
いずれの場合も第１筐体１０、６１０、７１０の表示部１１、６１１、７１１の下方に携帯電話用キー操作部３１、６３１、７３１が現れる。以下の説明は図１５の例で説明するが図３３および図３８の場合も同様である。
携帯電話用キー操作部の更に下方にはマイクが配置されている。このポジショニングでの主な使われ方は次の４つである。
（１）縦長画面コンテンツの鑑賞
携帯電話機用に配信されている縦長画面のコンテンツを、キー操作部３１のキーを用いて選択し、鑑賞する。この場合片手のみで第２筐体３０を保持しながら親指を用いてキー操作部３１を操作できる。
（２）携帯電話用キー操作部による番号入力、発信、通話
電話番号やメールの文章を携帯電話用キー操作部３１のキーを用いて入力できる。この場合も片手のみで第２筐体３０を保持しながら親指を用いてキー操作部入力するいわゆる片手入力もできる。通話はスピーカ１２を用い、声の入力はマイク３２を用いる。
（３）携帯電話用キー操作部による携帯メールの入力、発信
（４）カメラ撮像（図１５の場合のみ）
携帯情報端末装置１を手に持って縦画面で撮影するときは、このポジショニングで行う。このときカメラレンズ部を構成するカメラレンズ１５および発光体１６は表示部１１の背面にあり、操作者は表示部１１を見ながら撮影できる。【００７１】
====第２実施形態====
本発明の第２実施形態について図１６〜図１８を用いて説明する。本実施形態では携帯情報端末装置２０１は第１実施形態と較べて第２筐体２３０の携帯電話用キー操作部２３１のスペースｈ２を相対的に大きくしたような場合を想定している。図１６および図１７は第１筐体２１０を閉じた状態である。これを開いた状態が図１８であり、第１実施形態の図５に相当するのでこれと比較しながら違いを詳しく述べる。【００７２】
第１実施形態と重複するところの説明は省略するが、第１実施形態の線５−１に相当するのが線２０５−１である。また第１実施形態の線５−２に相当するのが線２０５−２である。すなわち線２０５−１上に第１軸の中心があることは第１筐体２１０の表示部２１１が第２筐体２３０の左右方向の中央に位置するための必要条件であり、線２０５−２上に第１軸の中心があることは第２筐体２３０のパソコン用キー操作部２３１が露出するための必要条件である。これら２本の線の交点２５１が二つの条件を同時に満足する第１軸の位置である。【００７３】
しかし交点２５１と第２筐体２３０の右側辺２０３との距離、または交点２５１と第２筐体２３０の携帯電話用キー操作部２３１を配置するスペースｈ２の上方の境界線２０６との距離はともにＸ２であり、第１軸の強度上必要な右側面との距離Ｚより小さい。このような場合の解決方法としては、キー操作部を無理やりに小さくして表示部の左右対称性を厳密に追求する考え方もあるが、使う側からの立場で見るとそのことよりもキー操作部が大きくて使いやすい方がありがたいとの考え方もある。したがってキー操作部は計画通り大きくする。すなわち第１軸が２０５−２上にあるという条件は守る。その上で、強度上の条件であるｚとを確保しようとすると、両立させる点として点２５７が最適な点として決まる。【００７４】
このことは言い換えると、第１軸２５７の位置は第２筐体のキー操作部の上方の境界線と前記側辺との交点から前記側辺に対して４５度の角度をもって上方内側に引いた直線上の点であって、かつ、強度上許される限りこの交点に最も近寄せた点、すなわちこの交点の近傍の点が求める点と言える。【００７５】
====第３実施形態====
本発明の第３実施形態について図１９〜図２２を用いて説明する。第１実施形態あるいは第２実施形態の場合は、パソコン用キー操作部はキーの数は十分あるが、個々のキーは小さくて押しにくいという問題がある。本実施形態ではこれを解消するものである。基本構造は第１実施形態あるいは第２実施形態で説明した構造に対して、新たに第３筐体３４０を追加し、使用時の形態が図２２のようにキーボードが広く押しやすい上に、表示部もキーボード全体の概ね中央に位置して見やすいという特徴をもつ。以下にその構造を説明する。【００７６】
図１９は本実施形態の携帯情報端末装置３０１の閉じたときの図である。第１筐体３１０と第２筐体３３０との関係は第１実施形態あるいは第２実施形態と同じである。すなわち二つの軸をもつ回動部材によって回動可能に連結されており、その第１軸および第２軸の位置関係も第１実施形態あるいは第２実施形態と同様である。前記第１実施形態における第２のポジショニングに相当するのが図２０であり、第４のポジショニングに相当するのが図２１である。【００７７】
本発明は以上の他にさらに、第１筐体３１０および第２筐体３３０とほぼ同形状の第３筐体３４０を第２筐体３３０の裏側に追加し、第３軸３６０を通じて、第２筐体３３０に回動自在に連結している。第３軸３６０の位置は図１９において、第２筐体の上方にあって上辺に平行である。本実施形態では第３軸３６０の中心は第２筐体３３０の上辺と第３筐体３４０の上辺の中間に位置している。こうすることによって第３筐体３４０を開いたときに第２筐体３３０と面一になる。【００７８】
次にこれを開く手順を説明する。図２０から第１筐体３１０をさらに９０度回転させる。そして第３筐体３４０を第２筐体３３０に対して１８０度回転させると目的の形状である図２２になる。第２筐体３３０のキー操作部３３４と第３筐体３４０のキー操作部はふたつで一体のパソコン用キー操作部となり、第１筐体３１０の表示部３１１はこのパソコン用キー操作部の概ね中央部に位置する。【００７９】
第２筐体３３０の表側の面３３８にあるキー操作部は図２０と図２２とではパターンが異なるが、例えばタッチパネル式を採用することにより、用途によりパターンそのものを切り替える方式にしてもよい。すなわち、図２０の表示部３３１と図２２の表示部３３４とが切り替わる。あるいは、携帯電話用パターンとパソコン用パターンを一部共通化する方式でもよい。例えば、携帯情報端末装置３０１のキー操作部の形状は図２２の状態において、キー操作部３３４−１はテンキー部として携帯用およびパソコン用の共通のキーとし、キー操作部３３４−２は携帯用専用の操作部とし、キー操作部３３４−３はパソコン用専用の操作部として用いることができる。【００８０】
====第４実施形態====
本発明の第４実施形態について図２４および図２５を用いて説明する。第１実施形態あるいは第２実施形態の場合は、パソコン用キー操作部はキーの数は十分あるが、個々のキーは小さくて押しにくいという問題がある。本実施形態では第３の実施形態と同様、これを解消するものである。【００８１】
本実施形態における携帯情報端末装置４０１では第１実施形態あるいは第２実施形態に加えて、新たに第３筐体４４０を第２筐体４３０の裏側に追加する。第３筐体４４０はその形状は平面視で第２筐体４３０と略同じ形状をしているが、上部４４１と下部４４２とに２分割されている。携帯情報端末装置４０１を閉じた図２３の状態では、第２筐体４３０と第３筐体の上部４４１とは、第２筐体の上方に設けた上辺と平行な第３軸４６１を中心として、重合状態から１８０度回動することができる。同様にして、第２筐体４３０と第３筐体の下部４４２とは、第２筐体４３０の下方に設けた下辺と平行な第４軸４６２を中心として、重合状態から１８０度回動することができる。本実施形態では第３軸は第２筐体４３０の上辺と第３筐体４４１の上辺の中間に位置している。こうすることによって第３筐体３４０を開いたときに第２筐体と面一になる。第４軸についても同様である。【００８２】
図２５は第１筐体４１０および第３筐体４４０を開いて、パソコンとしての使用状態にした図である。パソコン用キー操作部はこの開いた状態で操作可能なように第２筐体４３０と第３筐体４４１、４４２に配置されている。第１筐体４１０の表示部４１１はキー操作部の左右方向の概ね中央に位置しており、キーを打ちながら画面をみるのに見やすい。またキーの大きさは第１実施形態における図１１または図１３の場合と比較して大きくなるので操作がしやすくなる。【００８３】
この実施形態の場合、第３筐体４４０を折りたたんで、図２４の状態にした場合パソコン用キー操作部はかくれてしまうので、第３筐体４４０はカバーの役割を果たしていることにもなる。【００８４】
====第５実施形態====
本発明の第５実施形態について図２６〜図２８を用いて説明する。本実施形態の携帯情報端末装置５０１は主として携帯電話としてのみ用いる場合を想定しており、パソコンとしての用途は考えていない。この目的の違いによる第１実施形態との具体的な相違点は次の２点である。【００８５】
１点目の相違点は、第１筐体と第２筐体の平面視の上下端の位置がそろっていないことである。ただし第１筐体を９０度回動したときの表示部の左右方向の位置は第２筐体の概ね中央に位置している。このような配置にすることによって第２筐体の操作キーの配置スペースを下方に広くとることができるとともに、操作キーの一部が常時操作可能となる。またカメラレンズ部（カメラレンズ５１５および発光部５１６）が表示部の背面にあって常時露出しているので、第１筐体を閉じた状態のままでも撮影することができる。【００８６】
２点目の相違点は第１筐体の表の面が全面にわたって存在していることである。これによって表示部は第１実施形態よりも大きくすることができる。ただし第１筐体は第２筐体に対して約９０度までしか回転できず、第１実施形態での第４のポジショニングのようにパソコン用キーを使うことができないので、小型の携帯電話専用機として使用するのに適している。【００８７】
以上で本携帯情報端末装置の主な機構について述べたが、これに限定されるものではない。例えばケーブルは軸部材の中空部を通る構造にしたが、軸の外部を通してもよい。あるいは、非接触式で電力や信号をやりとりする方式でもよい。これらの場合は軸にスリットを設けたり中空である必要はなく、また第１筐体との接触部で回動させる必要もなく固着することが可能なので、強度的には有利である。【００８８】
また、以上では上下にスライドする機構を含んだ構造で説明したが、図４０〜図４２のようにスライドを含まない構造であってもかまわない。  
【産業上の利用可能性】
【００８９】
本発明は携帯情報端末として多くの用途に利用可能である。例えば携帯電話、携帯パソコン、デジタルカメラ、ゲーム機、携帯テレビ、電子辞書、ＰＤＡ（PDA：Personal  Digital  Assistant）等である。これらは従来別々の技術分野に属する別々の機器として存在していたものであったが、これらを一つの機器に集約するとともに、様々な使い方に最適なポジショニングにすることができる。
【図１】
2007129470.tif 000003
【図２】
2007129470.tif 000004
【図３】
2007129470.tif 000005
【図４】
2007129470.tif 000006
【図５】
2007129470.tif 000007
【図６】
2007129470.tif 000008
【図７】
2007129470.tif 000009
【図８】
2007129470.tif 000010
【図９】
2007129470.tif 000011
【図１０】
2007129470.tif 000012
【図１１】
2007129470.tif 000013
【図１２】
2007129470.tif 000014
【図１３】
2007129470.tif 000015
【図１４】
2007129470.tif 000016
【図１５】
2007129470.tif 000017
【図１６】
2007129470.tif 000018
【図１７】
2007129470.tif 000019
【図１８】
2007129470.tif 000020
【図１９】
2007129470.tif 000021
【図２０】
2007129470.tif 000022
【図２１】
2007129470.tif 000023
【図２２】
2007129470.tif 000024
【図２３】
2007129470.tif 000025
【図２４】
2007129470.tif 000026
【図２５】
2007129470.tif 000027
【図２６】
2007129470.tif 000028
【図２７】
2007129470.tif 000029
【図２８】
2007129470.tif 000030
【図２９】
2007129470.tif 000031
【図３０】
2007129470.tif 000032
【図３１】
2007129470.tif 000033
【図３２】
2007129470.tif 000034
【図３３】
2007129470.tif 000035
【図３４】
2007129470.tif 000036
【図３５】
2007129470.tif 000037
【図３６】
2007129470.tif 000038
【図３７】
2007129470.tif 000039
【図３８】
2007129470.tif 000040
【図３９】
2007129470.tif 000041
【図４０】
2007129470.tif 000042
【図４１】
2007129470.tif 000043
【図４２】
2007129470.tif 000044
【国際調査報告】
2007129470.tif 000045
2007129470.tif 000046
2007129470.tif 000047
2007129470.tif 000048